(57)【要約】【課題】設置スペースを節減し、比較的小さな力で軽快に作動する、２点ロック方式にも使用できる扉用ロックハンドル装置を提供することである。【解決手段】扉に固定される外筒に嵌合した内筒にロックボルトを同軸に嵌合し、外筒の内周面に軸線方向に直線状のガイド溝を形成し、内筒の外周壁部に螺旋状のカム溝を形成し、ロックボルトに設けた従動カム突起を前記カム溝を通して前記ガイド溝に嵌合し、内筒の外周部の駆動アーム部を外筒の窓孔から突出させてロックユニットを構成し、前記駆動アーム部に連結したハンドルの引き出し回転によって内筒を回転させ、前記カム溝と従動カム突起の協働作用によってロックボルトを解錠位置に後退させる。２点ロック方式のときには、扉の左右両側にロックユニットを配置し、扉のほぼ全幅にわたる単一のハンドルを前記駆動アーム部に装着する。【選択図】図５
2006063632.tif 000002
【特許請求の範囲】
【請求項１】
扉に固定されるケースに内筒を回転可能に同軸に嵌合し、前記内筒にロックボルトを前記ケースの軸線方向に摺動可能に同軸に嵌合し、前記ケースの内周面に軸線方向に沿った直線状のガイド溝を形成し、前記内筒の外周壁部に中心軸線に関して螺旋状のカム溝を形成し、前記ロックボルトの内端部外周に従動カム突起を設け、前記従動カム突起を前記内筒の前記カム溝を通して前記ケースの前記ガイド溝に嵌合し、前記内筒の外周部の駆動アーム部を前記ケースの外周部の窓孔から突出させてロックユニットを構成し、前記駆動アーム部に連結したハンドルの引き出し回転によって前記内筒を回転させ、前記カム溝と前記従動カム突起の協働作用によって前記ロックボルトを解錠位置に後退させるようにした扉用ロックハンドル装置。
【請求項２】
扉に固定されるケースに内筒を回転可能に同軸に嵌合し、前記内筒にロックボルトを前記ケースの軸線方向に摺動可能に同軸に嵌合し、前記ケースの内周面に軸線方向に沿った直線状のガイド溝を形成し、前記内筒の外周壁部に中心軸線に関して螺旋状のカム溝を形成し、前記ロックボルトの内端部外周に従動カム突起を設け、前記従動カム突起を前記内筒の前記カム溝を通して前記ケースの前記ガイド溝に嵌合し、前記内筒の外周部の駆動アーム部を前記ケースの外周部の窓孔から突出させてロックユニットを構成し、２個一組の前記ロックユニットを扉の対極位置にある両端部に配置し、前記２個のロックユニットにおいて前記内筒の前記カム溝を対称的に形成し、前記２個のロックユニットの前記各駆動アーム部に連結した単一のハンドルの引き出し回転によって前記各内筒を回転させ、前記各カム溝と前記各従動カム突起との協働作用によって前記各ロックボルトを解錠位置に同時に後退させるようにした扉用ロックハンドル装置。
【発明の詳細な説明】
【技術分野】
【０００１】
本発明は、ハンドルを手前に引き出し回転させることによって、カム連動機構を介してロックボルトを解錠位置に後退作動させる方式の扉用ロックハンドル装置に関するものである。
【背景技術】
【０００２】
このような方式の扉ロックハンドル装置としては、ハンドルの一対のアーム部をハンドルケースの袖部透孔から背面側に突出させ、ハンドルケースの側壁部に枢着したコネクタ板の後端部にハンドルの前記アーム部を固着し、前記ハンドルケースの後方側に配置した連動フレームの一対の脚部を第１の可動枢軸によって前記コネクタ板の後端部に枢着し、前記ハンドルケースの背面壁部に操作レバーの基端部と駆動レバーの中間部を固定枢軸によって枢着し、前記操作レバーの先端部に第２の可動枢軸によって中間リンクの基端部を枢着し、前記中間リンクの先端部を第３の可動枢軸によって前記連動フレームの側方腕部に枢着し、前記中間リンクと前記操作レバーをヘ字形に配置し、前記駆動レバーの基端部と先端部に施錠部材の取付部を設け、前記駆動レバーの中間部の受溝に係脱する操作ピンを制御レバーの先端部に連結し、前記操作ピンを前記操作レバーの案内スロットに嵌挿し、ハンドルが没入位置に復帰するように前記コネクタ板をバネによって回転付勢したものがある（特許文献１参照）。
【０００３】
しかしながら、このように構成された扉用ロックハンドル装置は、正面側における縦横寸法だけでなく奥行き寸法が比較的大きくなるため、設置スペースがそれだけ多く必要となり、キャビネット等における内部スペースの有効利用率を低下させる。
【０００４】
また、ハンドルと施錠部材の間には複雑なカム連動機構が存在しており、施錠部材が間接的に駆動される構成になっているため、カム連動機構の部材間の接触摩擦による力のロスがあり、これはハンドルの軽快な操作に悪影響を与えている。
【０００５】
この扉用ロックハンドル装置を扉の左右両側において錠止する所謂２点ロック方式とするためには、前記駆動レバーの前記取付部にロッドやワイヤーといった連動用部品を取付けるのであるが（特許文献１、特許文献２参照）、連動用部品の実際の取付作業は面倒で労力を要するものであり、扉の背面側に左右に張られた連動用部品は邪魔な存在であり、内部スペースの利用形態を制約することになる。
【０００６】
【特許文献１】実公平８−３６２１号公報
【特許文献２】実公平２−８１８８４号公報
【発明の開示】
【発明が解決しようとする課題】
【０００７】
本発明の課題は、正面側における縦横寸法と奥行き寸法を小さくして設置スペースを節減し、カム連動機構における力のロスを減少し、比較的小さな力で軽快に作動する扉用ロックハンドル装置を提供することである。
【０００８】
本発明の別の課題は、扉を離れた２箇所で錠止する２点ロック方式に構成するとき、ワイヤーやロッドなどの連動用部品が不要であり、扉に簡単に装着できる扉用ロックハンドル装置を提供することである。
【課題を解決するための手段】
【０００９】
請求項１の発明の主たる特徴は、扉に固定されるケースに内筒を回転可能に同軸に嵌合し、前記内筒にロックボルトを前記ケースの軸線方向に摺動可能に同軸に嵌合し、前記ケースの内周面に軸線方向に沿った直線状のガイド溝を形成し、前記内筒の外周壁部に中心軸線に関して螺旋状のカム溝を形成し、前記ロックボルトに従動カム突起を設け、前記従動カム突起を前記内筒の前記カム溝を通して前記外筒のガイド溝に嵌合し、前記内筒の外周部の駆動アーム部を前記ケースの外周部の窓孔から突出させてロックユニットを構成し、前記駆動アーム部に連結したハンドルの引き出し回転によって前記内筒を回転させ、前記カム溝と前記従動カム突起の協働作用によって前記ロックボルトを解錠位置に後退させることにある。
【００１０】
請求項２の発明の主たる特徴は、扉に固定されるケースに内筒を回転可能に同軸に嵌合し、前記内筒にロックボルトを前記ケースの軸線方向に摺動可能に同軸に嵌合し、前記ケースの内周面に軸線方向に沿った直線状のガイド溝を形成し、前記内筒の外周壁部に中心軸線に関して螺旋状のカム溝を形成し、前記ロックボルトに従動カム突起を設け、前記従動カム突起を前記内筒の前記カム溝を通して前記ケースの前記ガイド溝に嵌合し、前記内筒の外周部の駆動アーム部を前記ケースの外周部の窓孔から突出させてロックユニットを構成し、２個一組の前記ロックユニットを扉の対極位置にある両端部に配置し、前記２個のロックユニットにおいて前記内筒の前記カム溝を対称的に形成し、前記２個のロックユニットの前記各駆動アーム部に連結した単一のハンドルの引き出し回転によって前記各内筒を回転させ、前記各カム溝と前記各従動カム突起との協働作用によって前記各ロックボルトを解錠位置に同時に後退させることである。
【発明の効果】
【００１１】
請求項１の発明では、ケース、内筒及びロックボルトを同軸配置して三重に嵌合し、ケースの窓孔より突出した内筒の駆動アーム部にハンドルを連結したものであるから、装置全体の縦横寸法と奥行き寸法は縮減されたものとなる。そのため、扉用ロックハンドル装置の設置スペースが節約され、キャビネット等における内部スペースの有効利用率が向上する。
【００１２】
また、内筒の内側に嵌合したロックボルトの従動カム突起が、内筒の螺旋状のカム溝を通して、内筒の外側に嵌合したケースの直線状のガイド溝に嵌合され、内筒の駆動アーム部に連結したハンドルの引き出し回転によって、前記カム溝と従動カム突起の協働作用によってロックボルトが解錠位置に摺動するものであり、入力端であるハンドルと出力端であるロックボルト間のカム連動機構が部品点数少なく簡略化して構成され、ロックボルトの摺動がハンドルの回転にほぼ直接的に連動しているため、カム連動機構の部品相互間の接触摩擦による力のロスが大幅に抑制され、比較的小さな力でハンドルを引くだけでロックボルトが解錠方向に駆動され、作動の軽快性に優れている。
【００１３】
請求項２の発明では、２個一組の前記ロックユニットを扉の対極位置にある両端部に配置し、前記２個のロックユニットにおいて前記内筒の前記カム溝を対称的に形成し、前記２個のロックユニットの前記各駆動アーム部に単一のハンドルを連結し、このハンドルの引き出し回転によって前記各内筒を回転させ、前記各カム溝と前記各従動カム突起との協働作用によって前記各ロックボルトを解錠位置に同時に後退させたので、従来のように取付作業が面倒なロッドやワイヤーといった連動用部品が全く不要となり、扉への装着が簡単になされ、２点ロック方式に的確に対応することができる。
【実施例】
【００１４】
図示の実施例では、ケース１は図５に示したように、接合して組立てたとき円筒形空洞部が形成されるように下部ケース２と上部ケース３に分割して構成され、両者は内筒４とロックボルト５の組立体を前記空洞部に収容した後、４本の接合用ボルト６の締め込みによって組立てられる。扉８に背面を突き当てられる下部ケース２は、背面側の螺子孔７に螺合される４本のビス１２によって扉８に締め付け固着される。外筒１の中心軸線方向に沿って設けられる直線状のガイド溝９は、上部ケース３の内周面に直径上に対向して２個形成されている。
【００１５】
下部ケース２の前面には位置決め突起１０が形成され、上部ケース３の背面には位置決め溝１１が形成され、ケース１の前記空洞部の内周面が内筒４の円筒形軸受面となるように位置決めされている。内筒４の外周壁部には、２個一組の螺旋状のカム溝１３が直径上に相対向して形成されている。ロックボルト５の内端部には直径方向の受孔１４が形成され、１本のピンが挿入されている。当該ピンの両端部は、ロックボルト５の外周面から所定長さ突出しており、一対の従動カム突起１５を構成している。ピン端部には、カム溝１３の内壁面とガイド溝９の内壁面との間の滑りを良くするために、円筒形のコロ１６を装着してある。ロックボルト５の内端部の外周面には、前記コロ１６の逃げ用環状凹部１７を形成してある。
【００１６】
ロックボルト５の内端部には中心軸線の周りにバネ受け凹部１８が形成されている。バネ受け凹部１８に一端を挿入された圧縮コイルバネ１９は、上部ケース３の側壁部で構成されるバネ受け壁２０に他端を当接している。この圧縮コイルバネ１９は、ロックボルト５を突出方向に常時摺動付勢している。前記バネ受け壁２０と反対側にある上部ケース３の側壁部には、ロックボルト５のガイド孔２１が形成されている。正面視矩形状の駆動アーム部２２は内筒４と一体に形成されており、上部ケース３の矩形状の窓孔２３から扉８の前面側に突出している。
【００１７】
このようにして構成されたロックユニットＵは、キャビネット本体などの固定枠体２７に対して扉８を１箇所のみで錠止する１点ロック方式の場合には、１個のみ使用される。固定枠体２７に対して扉８を例えば左右２箇所で錠止する２点ロック方式に対応する場合には、上記構成のロックユニットＵは左右２個使用される。
前記駆動アーム部２２の上下縁部には係止突起２４が左右方向に形成されており、板状のハンドル２５の背面には、その長さ方向に沿って２条の係止溝２６が形成されている。１点ロック方式と２点ロック方式にいずれにおいても、ハンドル２５の係止溝２６に駆動アーム部２２の一対の係止突起２４を係合させることによって、ハンドル２５が内筒４の駆動アーム部２２に連結されている。１点ロック方式の場合には、ハンドル２５が抜けないように、タッピングビスでハンドル２５と駆動アーム部２２を締め付け固着することもできる。
【００１８】
ハンドル２５の背面には、前記２条の係止溝２６のうち下側の係止溝２６と干渉しない部位に突片２８が形成されている。２点ロック方式に対応する場合には、２枚のストッパー板２９，３０の上下縁部間に上側の係止溝２６の溝壁片３４と前記突片２８を挟み込み、ストッパー板２９の透孔３２からストッパー板３０の螺子孔３３にビス３１を捻じ込むことによって、２枚のストッパー板２９，３０をハンドル２５に締め付け固着することができる。左側のロックユニットＵＬについては、ストッパー板２９，３０の締め付け固定位置をロックユニットＵＬの右側に近接した部位とし、右側のロックユニットＵＲについては、ストッパー板２９，３０の締め付け固定位置をロックユニットＵＲの左側に近接した部位とすることによって、ハンドル２５の抜脱が的確に阻止される。２点ロック方式の場合には、ハンドル２５の全体長さは、扉８の左右幅方向寸法にほぼ等しく設定されている。
【００１９】
１点ロック方式と２点ロック方式のいずれにおいても、ハンドル２５を引き出し回転すると、前記カム溝１３、ガイド溝９及び従動カム突起１５よりなるカム連動機構の作用によってロックボルト５が摺動して、扉８の側面板部３７に向かって所定ストロークだけ引き込まれ、固定枠体２７に設けた受金部３６から離脱する。ロックボルト５の先端部にはカム斜面３７が形成されており、扉８を閉鎖したとき、ロックボルト５がラッチ動作して受金部３６と自動的に係合するようになっている。
【図面の簡単な説明】
【００２０】
【図１】本発明の一実施例に係る扉用ロックハンドル装置を装着した機器収納用キャビネットの正面図であり、ロックユニットは扉の左右両側に２個配置されている。
【図２】図１の扉用ロックハンドル装置における右側のロックユニット部分の平面図である。
【図３】図１の扉用ロックハンドル装置における左側のロックユニット部分の平面図である。
【図４】図１のＡ−Ａ線断面図である。
【図５】図１のＢ−Ｂ線断面図である。
【図６】図１の扉用ロックハンドル装置に使用したロックボルトの平面図である。
【図７】図６のロックボルトの正面図である。
【図８】図１の扉用ロックハンドル装置における左側のロックユニットに使用した内筒の正面図である。
【図９】図８の内筒の右側面図である。
【図１０】図８の内筒の底面図である。
【図１１】図１の扉用ロックハンドル装置における右側のロックユニットに使用した内筒の正面図である。
【図１２】図１１の内筒の右側面図である。
【図１３】図１１の内筒の底面図である。
【図１４】図１の扉用ロックハンドル装置における右側のロックユニットの正面図である。
【図１５】図１４のロックユニットの右側面図である。
【図１６】図１５のＣ−Ｃ線断面図である。
【図１７】図１の扉用ロックハンドル装置における左側のロックユニットの正面図である。
【図１８】図１７のロックユニットの右側面図である。
【図１９】図１８のＤ−Ｄ線断面図である。
【符号の説明】
【００２１】
１    ケース
２    下部ケース
３    上部ケース
４    内筒
５    ロックボルト
６    接合用ボルト
７    螺子孔
８    扉
９    ガイド溝
１０  位置決め突起
１１  位置決め溝
１２  固着用ビス
１３  カム溝
１４  ピン用受孔
１５  ピン状の従動カム突起
１６  コロ
１７  逃げ用環状凹部
１８  バネ受け凹部
１９  圧縮コイルバネ
２０  バネ受け壁
２１  ガイド孔
２２  駆動アーム部
２３  窓孔
２４  係止突起
２５  ハンドル
２６  係止溝
【図１】
2006063632.tif 000003
【図２】
2006063632.tif 000004
【図３】
2006063632.tif 000005
【図４】
2006063632.tif 000006
【図５】
2006063632.tif 000007
【図６】
2006063632.tif 000008
【図７】
2006063632.tif 000009
【図８】
2006063632.tif 000010
【図９】
2006063632.tif 000011
【図１０】
2006063632.tif 000012
【図１１】
2006063632.tif 000013
【図１２】
2006063632.tif 000014
【図１３】
2006063632.tif 000015
【図１４】
2006063632.tif 000016
【図１５】
2006063632.tif 000017
【図１６】
2006063632.tif 000018
【図１７】
2006063632.tif 000019
【図１８】
2006063632.tif 000020
【図１９】
2006063632.tif 000021